(57)【特許請求の範囲】
【請求項１】
引戸が全閉する手前の所定制動開始位置に至ると、装置本体に係止して該装置本体を始動させるストライクを引戸レールに固設する一方、引戸の上端戸先側に前記装置本体を搭載し、該装置本体は、本体ケースの長さ方向に設け閉方向先端に掛け止め部を有したガイド溝と、該ガイド溝にガイドピンを介して開閉方向に移動自在に係合し、引戸が所定制動位置に至ると前記ストライクが係止する係止部を有した可動カムと、該可動カムをピストンロッドの先端に回転自在に連結したダンパと、一端を前記本体ケースに連結する一方、他端を前記可動カムに連結し、前記ガイドピンを前記ガイド溝の掛け止め部に掛け止めて前記可動カムを閉方向戸尻側に引き戻す引張力を付与する付勢ばねを備え、閉時、引戸が所定制動開始位置に至ったとき、前記ストライクが前記係止部に当たって前記可動カムを回転し、前記ガイドピンの掛け止めが解除されると、前記付勢ばねの引張力で引戸を閉方向に引き寄せる一方、前記ダンパを働かせて減速する引戸制動装置において、
前記ガイド溝は、前記本体ケースの両側板面に平行に形成する一方、
前記可動カムは、カム本体の厚さ方向に貫通する軸穴に金属製の前記ガイドピンを通して軸支し、該ガイドピンの前記軸穴から突出した両端軸部に、開口縁に抜け止め鍔部を有したシルクハット形の樹脂製保護キャップを被せ、前記ガイドピンの両端軸部をそれぞれ前記保護キャップを介して前記ガイド溝に係合し、それらガイド溝を形成した前記両側板面で前記抜け止め鍔部を間に挟んだ抜け止め状態で組み立てながら、前記本体ケースに組み込んでなることを特徴とする、引戸制動装置。
【発明の詳細な説明】
【技術分野】
【０００１】
本発明は、引戸を閉めるとき、全閉する手前の所定制動開始位置に至ると、引戸を閉方向に引き寄せながら減速してゆっくり静かに閉止させる引戸制動装置に関する。
【背景技術】
【０００２】
従来、引戸や引出し等では、閉めるとき、全閉する手前の所定制動開始位置に到達すると、自動的に全閉位置まで引き寄せながら、一方でブレーキをかけてゆっくり静かに閉止させる制動装置が各種提案されている。
【０００３】
例えば引出しの制動装置の中には、特許文献１に記載のとおり、引出しが全閉する手前の所定制動開始位置に至ると、装置本体に係止して装置本体を始動させるストライクを引出しの側板に固設する一方、家具本体の側壁内面に装置本体を取り付け、装置本体は、図１４に示すように、樹脂製の本体ケース１の長さ方向に設け、閉方向先端にへ字状に屈曲した掛け止め部２ａを有したガイド溝２と、ガイド溝２に金属製のガイドピン３ａ・３ｂを介して移動自在に係合し、引出しが所定制動開始位置に至るとストライクｓが係止する係止部４ａ・４ｂを突設した樹脂製の可動カム４と、可動カム４をピストンロッド５ａの先端に回転自在に連結したダンパ５と、一端を本体ケース１の奥側に連結する一方、他端を可動カム４に連結し、常時は第１ガイドピン３ａをガイド溝２の掛け止め部２ａに掛け止めてロック状態の可動カム４に閉方向戸尻側に引き戻す引張力を付与する引張ばね６を備え、閉時、引出しが所定制動開始位置に至ったとき、ストライクｓが第１係止部４ａに当たって可動カム４が回転し、第１ガイドピン３ａが掛け止め部２ａから外れると、引張ばね６の引張力が働いて引出しを閉まる方向に引き寄せると共に、ダンパ５の制動力が働いて可動カム４に引かれて移動する引出しを減速し、途中で停止させずに静かにゆっくり閉める構造にしたものがある。
【先行技術文献】
【特許文献】
【０００４】
【特許文献１】特開２０１１−２４９８１号公報
【特許文献２】特開２０１０−１３３２２１号公報
【発明の概要】
【発明が解決しようとする課題】
【０００５】
ところが、上述した従来の引出しの制動装置では、閉時、ストライクｓが第１係止部４ａに当たって可動カム４を回転し、第１ガイドピン３ａをガイド溝２の掛け止め部２ａから外して可動カム４の掛け止め状態を解除する際に、引出しを押し込んで閉めた時の大きな外力が繰り返しガイドピン３ａ・３ｂに加わると、ガイドピン３ａ・３ｂは強度に配慮した金属製であるが、逆に摺動性に乏しく滑りが悪いために、樹脂製のガイド溝２を金属製のガイドピン３ａ・３ｂで傷付け易く、場合によっては、ガイド溝２の周りで本体ケース１にひびや割れを生じたりするという課題があった。
【０００６】
そこで、従来の他の制動装置の中には、可動カム４のガイドピン３ａ・３ｂを樹脂でカム本体と一体に成形して摺動性を確保する構造にしたものもあるが、ガイドピン３ａ・３ｂが樹脂製であると、摺動性の点では良好であっても、逆に強度に乏しいので、引出しを押し込んで閉めた時の大きな外力が繰り返しガイドピン３ａ・３ｂに加わると、樹脂製ガイドピン３ａ・３ｂは、それに耐えきれず折れ易いという課題があった。以上のような課題は、引戸の重量を考慮すれば、引戸の制動装置にとって、より大きな課題になっている。
【０００７】
他方、従来の引戸制動装置において、可動カム４は、カム本体４ｃに対して両端軸部が横に突出した状態にガイドピン３ａ・３ｂを軸支して予め組み立ててから、本体ケース１の両側板面を押し拡げて本体ケース１内に組み入れ、ガイドピン３ａ・３ｂの両端軸部をそれぞれガイド溝２に係合させて取り付けている。しかし、そのように従来の引戸制動装置では、本体ケース１の両側板面を押し拡げて、両端軸部が出っ張った可動カム４をそれごと無理やり押し込むようにして取り付けなければならず、そのため、取付作業が容易ではなく、従って、場合によっては、両側板面を押し拡げて可動カム４を無理に押し込む時に、樹脂製の本体ケース１が割れてしまうことがあるという課題があった。
【０００８】
そこで、本発明の目的は、引戸制動装置において、可動カムのガイドピンの強度を下げることなく摺動性を確保して樹脂部品が損傷するのを未然に防止する共に、可動カムの取り付けを簡単にすることにある。
【０００９】
そのため、請求項１に記載の発明は、たとえば以下に示す図示実施の形態のとおり、引戸Ｄが全閉する手前の所定制動開始位置に至ると、装置本体Ａに係止して該装置本体を始動させるストライクＢを引戸レールＬに固設する一方、引戸Ｄの上端戸先側に前記装置本体Ａを搭載し、該装置本体は、本体ケース２５の長さ方向に設け閉方向先端に掛け止め部５５ｂ・５６ｂを有したガイド溝５５・５６と、該ガイド溝にガイドピン４５・４６を介して開閉方向に移動自在に係合し、引戸Ｄが所定制動位置に至ると前記ストライクＢが係止する係止部２９を有した可動カム３０と、該可動カムをピストンロッド３４の先端３４ａに回転自在に連結したダンパ４０と、一端を前記本体ケース２５に連結する一方、他端を前記可動カム３０に連結し、前記ガイドピン４５・４６を前記ガイド溝５５・５６の掛け止め部５５ｂ・５６ｂに掛け止めて前記可動カム３０を閉方向戸尻側に引き戻す引張力を付与する付勢ばね５０を備え、閉時、引戸Ｄが所定制動開始位置に至ったとき、前記ストライクＢが前記係止部２９に当たって前記可動カム３０を回転し、前記ガイドピン５５・５６の掛け止めが解除されると、前記付勢ばね５０の引張力で引戸Ｄを閉方向に引き寄せる一方、前記ダンパ４０を働かせて減速する引戸制動装置Ｒにおいて、前記ガイド溝５５・５６は、前記本体ケース２５の両側板面２５ａ・２５ｂに平行に形成する一方、前記可動カム３０は、カム本体３５の厚さ方向に貫通する軸穴２７・２８に金属製の前記ガイドピン４５・４６を通して軸支し、該ガイドピンの前記軸穴から突出した両端軸部に、開口縁に抜け止め鍔部を有したシルクハット形の樹脂製保護キャップ４６を被せ、前記ガイドピン４５・４６の両端軸部４５ａ・４６ａをそれぞれ前記保護キャップ６０を介して前記ガイド溝５５・５６に係合し、それらガイド溝を形成した前記両側板面２５ａ・２５ｂで前記抜け止め鍔部６０ｂを間に挟んだ抜け止め状態で組み立てながら、前記本体ケース２５に組み込んでなることを特徴とする
【発明の効果】
【００１０】
請求項１に記載の発明によれば、可動カムは、金属製のガイドピンを用い、その金属製ガイドピンをカム本体の厚さ方向に貫通する軸穴に通して軸支することで強度を担保する一方、ガイドピンの軸穴から突出した両端軸部に、開口縁に抜け止め鍔部を有したシルクハット形の樹脂製保護キャップを被せ、樹脂製の保護キャップを介してガイドピンの両端軸部をガイド溝に係合することでガイド溝に対する良好な摺動性を担保する構成であるから、引戸を閉めるとき、所定の制動開始位置において、ストライクの固定凸部が係止突起に当って可動カムを回転して掛け止め状態を解除するとき、その都度、重量のある引戸を引いて移動させる時の大きな外力が繰り返しガイドピンに加わっても、金属製ゆえにガイドピンが折れたりすることがなく、摺動性に富む樹脂製の滑り易い保護キャップを介してガイドピンをガイド溝に係合させることでガイド溝が損傷したり、本体ケースにひびや割れを発せさせることを防止することができる。
【００１１】
しかも、請求項１に記載の発明では、可動カムは、カム本体の厚さ方向に貫通する軸穴に金属製ガイドピンを通して軸支し、その軸穴から突出した両端軸部に樹脂製保護キャップを被せて、該保護キャップを介してガイドピンの両端軸部をガイド溝に係合し、抜け止め鍔部を両側板面間に挟んで本体ケースに組み付けるのであって、両端軸部が横に突出して組立状態の可動カムを本体ケース内に組み込むのではなく、カム本体と、ガイドピンと、保護キャップとに分解状態の可動カムを組み立てながら、本体ケースに組み込めるので、取り付けの際に、本体ケースの両側の両側板面を押し拡げて可動カムごと無理に押し込むことも必要がなく、それだけ取付作業が簡単になり、しかも、取り付けの際に樹脂製本体ケースが割れたりして損壊するのを防止することもできる。
【図面の簡単な説明】
【００１２】
【図１】本発明の一例である引戸制動装置の装置本体を示す分解斜視図である。
【図２】可動カムを示す分解斜視図である。
【図３】可動カムを示す組立斜視図である。
【図４】可動カムを示す正面視図である。
【図５】図４中線Ｃ−Ｃ断面図である。
【図６】ストライクを示す斜視図である。
【図７】引戸制動装置を備えた引戸構造体を引戸の全閉状態で示す正面図である。
【図８】（ａ）引戸制動装置を引戸の半開き状態で示す正面図、（ｂ）縦断面図である。
【図９】引戸制動装置を下から上枠に向けて視た底面図である。
【図１０】（ａ）引戸制動装置を引戸の半開き状態で示す斜視図、（ｂ）引戸の全閉状態で示す斜視図である。
【図１１】（ａ）引戸制動装置を引戸が制動開始位置にある状態で示す正面図、（ｂ）引戸の全閉状態で示す正面図である。
【図１２】閉止する引戸を引き寄せながら制動する動作を段階的に分けて示す引戸制動装置の縦断面図である。
【図１３】図１２と同様な引戸制動装置を示す正面図である。
【図１４】（ａ）従来の引戸制動装置を示す縦断面図、（ｂ）正面図である。
【発明を実施するための形態】
【００１３】
以下、図面を参照しつつ、本発明の実施形態について説明する。
【００１４】
図７は本発明の引戸制動装置を備えた引戸構造体を引戸の全閉状態において示す正面図、図８（ａ）は引戸制動装置を引戸の半開き状態で示す正面図（ｂ）は縦断面図、図９は引戸制動装置を下から上枠に向けて視た底面図、図１０（ａ）は引戸制動装置を引戸の半開き状態で示す斜視図（ｂ）は引戸の全閉状態で示す斜視図、図１１（ａ）は引戸制動装置を引戸が制動開始位置にある状態で示す正面図（ｂ）は引戸の全閉状態で示す正面図である。引戸構造体は、開口部Ｓの矩形な戸枠Ｆと、戸枠Ｆに吊り込んで開口部Ｓを開閉する引戸Ｄと、開口部Ｓを全開した引戸を横に重ねて配列する戸袋壁Ｗと、引戸Ｄを懸架して図中左右の開閉方向に案内する引戸レールＬとで構成されている。
【００１５】
戸枠Ｆは、図中左右に立設した縦枠１０・１１と、縦枠１０・１１間に横架した天井側の上枠１２と床側の下枠１３とからなる。引戸レールＬは、下面の長さ方向に逃げ溝をあけた断面略溝形に曲げ成形し、逃げ溝の両側に戸車１４・１５の走行路１７・１７を形成し、上面を上枠１２に固着してなる。引戸Ｄは、木製の矩形パネルで、上端面１６の閉方向戸先と戸尻側に戸車ブラケット１９・２０を取り付け、円周に環状リブ１４ａ・１５ａを有する戸車１４・１５を戸車ブラケット１９・２０の戸車支持板１９ａ・２０ａ間で回転自在に枢支している。引戸Ｄの下端面には、長さ方向にガイド溝ｇを凹設し、下枠１３上に立設したガイドローラ２１を係合し、引戸Ｄが横振れしないように案内する構造になっている。なお、引戸Ｄには、閉方向戸先側にバーハンドル２２が付設されている。
【００１６】
引戸構造体は、引戸レールＬの走行路に上側の戸車１４・１５の環状リブ１４ａ・１５ａを係合し、下側のガイド溝ｇにガイドローラ２１を係合して引戸Ｄを開閉方向に移動可能に吊り込み、開閉時、バーハンドル２２を持って引戸Ｄを開閉方向に移動して開口部Ｓを開閉する構造になっている。そこで、引戸Ｄを閉方向Ｘに移動して開口部Ｓを閉止するとき、全閉する手前の所定制動位置に至ると、本発明の引戸制動装置Ｒが始動し、引戸Ｄの勢いを緩衝して戸先側の縦枠１０に強く当たらないように減速する一方で、途中で停止しないように全閉位置まで引き寄せながら、ゆっくり静かに閉止する。
【００１７】
そのため、引戸制動装置Ｒは、引戸Ｄの上端面１６の戸先側に搭載する装置本体Ａと、引戸レールＬの上面内側に固設するストライクＢとで構成する。装置本体Ａは、図１に示すように、本体ケース２５と、本体ケース２５に組み込む可動カム３０、ダンパ４０、付勢ばね５０から構成されている。
【００１８】
本体ケース２５は、樹脂製で、断面略溝形の引戸レールＬ内に挿設できるように全体に細長い略矩形な箱形状につくり、一側の側板面２５ａの片側略半分をダンパ４０に対応する長さにわたり開放して部品組込口２４を設け、両側板面２５ａ・２５ｂの他側略半分を対称にジグザグな柵状に形成し、そこに長さ方向にガイド溝５５・５６を平行に形成している。ガイド溝５５・５６は、直線状の直進部５５ａ・５６ａと直進部５５ａ・５６ａの先端から斜め図１中下向きに屈曲した掛け止め部５５ｂ・５６ｂとで細長いへ字状に形成してなる。上板面２５ｃには、ガイド溝５５・５６の長さ範囲にわたり可動カム３０の逃げ溝２６を設けている。
【００１９】
可動カム３０は、図２および図３に示すように、樹脂製のカム本体３５と、金属製の第１および第２ガイドピン４５・４６と、４個の樹脂製保護キャップ６０からなる。
【００２０】
カム本体３５は、図４および図５でも示すように、図中左右の横に幅広な頭部３５ａと頭部３５ａから斜めに延び一段肉厚な顎部３５ｂからなり、頭部３５ａには、幅方向に間隔をあけて厚さ方向にガイドピン４５・４６を貫挿するそれぞれ貫通穴の軸穴２７・２８を穿設し、軸穴２７・２８間の図中上側に、引戸Ｄを閉めるときにストライクＢが係止する係止部２９を設ける一方、軸穴２８の下側に半円状の軸係合穴３１を凹設してなる。軸穴２７・２８には、両端開口の周縁に保護キャップ６０の後述する抜け止め鍔部６０ｂに合わせて円周溝２７ａ・２８ａを凹設している。係止部２９は、軸穴２８側が傾斜した爪状の係止突起２９ａと、軸穴２７側のコ形に凹状の係止穴２９ｂからなっている。
【００２１】
ガイドピン４５・４６は、機械的強度に配慮した金属製で、例えばステンレス鋼からなる。保護キャップ６０は、滑り易さの摺動性に配慮した樹脂製で、例えばＰＯＭ樹脂やＡＢＳ樹脂等からなり、ガイドピン４５・４６の軸径に合わせて一端側が開口した円筒部６０ａと、円筒部６０ａの開口縁に沿って環状に延びた抜け止め鍔部６０ｂとでシルクハット形に形成してなる。
【００２２】
そこで、可動カム３０は、保護キャップ６０を２個、ガイド溝５５・５６から円筒部６０ａを前向きに入れて、抜け止め鍔部６０ｂを溝縁内面に掛けた状態で片側のガイド溝５５に係合してから、カム本体３５を逃げ溝２６から本体ケース２５内のガイド溝５５・５６間に差し込んだ後、他側のガイド溝５６からガイドピン４５・４６の一端軸部４５ａ・４６ａを挿入し、それぞれカム本体３５の軸穴２７・２８に通して片側のガイド溝５５に掛けた保護キャップ６０に嵌合する。それから、残りの保護キャップ６０を２個、ガイド溝５５・５６から本体ケース２５内に入れてから、ガイドピンの他端軸部４５ｂ・４６ｂにそれぞれ保護キャップ６０を被せる。すると、ガイドピン４５・４６の両端軸部４５ａ・４５ｂ、４６ａ・４６ｂがそれぞれ保護キャップ６０を介してガイド溝５５・５６に摺動自在に係合し、保護キャップ６０の抜け止め鍔部６０ｂを両側板面２５ａ・２５ｂ間に挟んだ抜け止め状態で、可動カム３０が組み立てられると同時に本体ケース２５に組み込まれる。従って、引戸制動装置Ｒでは、両端軸部が横に突出して組立状態の可動カム３０を本体ケース２５内に組み込むのではなく、上述のようにカム本体３５と、ガイドピン４５・４６と、保護キャップ６０とに分解状態の可動カム３０を組み立てながら、本体ケース２５に組み込むので、取り付けの際に、本体ケース２５の両側板面２５ａ・２５ｂを押し拡げて可動カム３０ごと無理やり押し込むことも必要がなく、それだけ取付作業が簡単になり、しかも、取り付けの際に樹脂製本体ケース２５が割れたりして損壊するのを防止することができる。
【００２３】
ダンパ４０は、例えばオイルダンパで、シリンダ３２と、シリンダ３２内に直線往復移動可能に配設したピストン３３と、ピストン３３を基端に固着する一方、先端３４ａをシリンダ３２内から突出させたピストンロッド３４を備え、ピストンロッド３４の先端３４ａに連結軸３６を取り付けてなる。連結軸３６は、軸部３６ａの先端に軸部３６ａと直交する向きに円柱部３６ｂを設けてなる。そこで、ダンパ４０は、部品組込口２４から本体ケース２５内に組み込んでダンパ取付部３７に組み付け、連結軸３６の円柱部３６ｂを軸係合穴３１に係合させて可動カム３５を、円柱部３６ｂを中心に回転自在に連結する。従って、ダンパ４０は、シリンダ３２内でピストン３３が移動するときにオイルを徐々に別室に送り出すことにより、勢いよく移動する可動カム３０を制動して速度を緩める構造になっている。図１中３９は、シリンダ３２の後端（図中左端）に付設してダンパ４０の制動力を外部から回動操作して調整する調整具である。
【００２４】
付勢ばね５０は、引張コイルばねで、図９に示すように、一端をカム本体３５の顎部３５ｂにあるばね掛け部３５ｃに掛け止めて可動カム３０に連結する一方、他端を本体ケース２５の後端側にあるばね掛け部に掛け止めて、可動カム３０を本体ケース２５の後端側に引っ張る状態になっている。
【００２５】
そこで、装置本体Ａは、図８、図９および図１０に示すように、引戸Ｄの上端面１６の戸先側に搭載し、本体ケース２５の先端部２５ｄを戸車支持板１９ａ・１９ａ間に挟んで戸先側の戸車ブラケット１９にねじ止めし、戸車ブラケット１９と直列に連結する。従って、装置本体Ａは、戸車ブラケット１７・１８の戸車１４・１５を引戸レールＬに係合させて引戸Ｄを吊り込むとき、引戸レールＬ内に戸車１４と連なって内装される。そこで、装置本体Ａは、付勢ばね５０のばね付勢力に抗して可動カム３０の第１ガイドピン４５をガイド溝５５・５６の掛け止め部５５ｂ・５６ｂに掛け止めて付勢ばね５０を長く引き伸ばし、常時可動カム３０に対して閉方向戸先側に引き戻す強い引張力を付与している。すると、可動カム３０は、第１ガイドピン４５が掛け止め部５５ｂ・５６ｂに掛け止められてロック状態になるが、第２ガイドピン４６が上段の直進部５５ａ・５６ａに係合しているため、係止部２９の係止突起２９ａが係合穴２９ｂより上向きに傾いて、ストライクＢに対して係止突起２９ａが逃げ溝２６から突出した頭出し状態にある。このように可動カム３０が係止突起２９ａを頭出した傾き姿勢にあるときは、引戸Ｄが開いている状態にある。
【００２６】
他方、ストライクＢは、金属製で、図６に示すように、ねじ挿通穴６５ａ・６５ｂを有する細長い板状の取付座６５上に固定凸部７０を突設してなる。一側のねじ挿通穴６５ａは、取付位置を調整できるように長穴になっている。そこで、ストライクＢは、図８、図９（ａ）および図１０（ａ）に示すように、引戸Ｄが全閉する手前の所定制動開始位置、即ち、引戸レールＬ内で本体ケース２５の逃げ溝２６から頭出し状態で閉方向に移動する可動カム３０の係止突起２９ａに、固定凸部７０が当たる位置に取付座６５を引戸レールＬの上面内側にねじ止めし、固定凸部７０を可動カム３０の係止部２９の軌道と交差する位置に突出させる。
【００２７】
さて、開いている引戸Ｄを閉めるときは、バーハンドル２２を持って引戸Ｄを閉方向Ｘに引くと、引戸レールＬの案内で戸車１４・１５を転動しながら引戸Ｄが動き出して開口部Ｓを閉じるが、この閉止途中、引戸が全閉する手前の所定制動開始位置に到達し、図１０（ａ）、図１１（ａ）、図１２（ａ）および図１３（ａ）に示すように、逃げ溝２６から突出した係止突起２９ａにストライクＢの固定凸部７０が当たると、引戸制動装置Ｒが始動する。
【００２８】
引戸制動装置Ｒは、係止突起２９ａにストライクＢの固定凸部７０が当たると、可動カム３０をダンパ４０の円柱部３６ｂを中心に回転して傾きを正し、第１ガイドピン４５をガイド溝５５・５６の掛け止め部５５ｂ・５６ｂから外して可動カム３０のロック状態を解除する。すると、引戸制動装置Ｒは、図１２（ｂ）および図１３（ｂ）に示すように、本体ケース２５内に没していた係止部２９の係合穴２９ｂに固定凸部７０が係合してストライクＢに可動カム３０を連結するが、ストライクＢは固定であるため、可動カム３０が付勢ばね５０により閉方向戸尻側に引っ張られると、その引張力で引戸Ｄを閉方向Ｘに引き寄せる一方、同じ可動カム３０と連結したダンパ４０が働いて引戸Ｄを徐々に制動し、その結果、引戸Ｄは、図１０（ｂ）、図１１（ｂ）、図１２（ｃ）および図１３（ｃ）に示すように、全閉するまで途中で停止することなく、ゆっくり静かに閉止する。
【００２９】
ところで、引戸制動装置Ｒは、引戸Ｄを閉めるとき、所定の制動開始位置において、係止突起２９ａがストライクＢの固定凸部７０を当って可動カム３０を回転して掛け止め状態を解除するとき、その都度、重量のある引戸Ｄを引いて移動させる時の大きな外力が繰り返しガイドピン４５・４６に加わると、ガイドピン４５・４６が耐えきれずに折れたり、或いは、ガイドピン４５・４６が係合した樹脂製のガイド溝５５・５６が損傷し、場合によっては、ガイド溝４５・４６から本体ケース２５にひびや割れを生じたりすることが考えられる。
【００３０】
しかし、本発明の引戸制動装置Ｒでは、可動カム３０は、金属製のガイドピン４５・４６を用い、金属製ガイドピン４５・４６をカム本体３５の厚さ方向に貫通する軸穴２７・２８に通して軸支することで強度を担保する一方、ガイドピン４５・４６の軸穴２７・２８から突出した両端軸部４５ａ・４５ｂ、４６ａ・４６ｂに、開口縁に抜け止め鍔部６０ｂを有したシルクハット形の樹脂製保護キャップ６０を被せ、樹脂製の保護キャップ６０を介してガイドピン４５・４６の両端軸部をガイド溝５５・５６に係合することでガイド溝５５・５６に対する良好な摺動性を担保する構成であるから、引戸Ｄを閉めるとき、所定の制動開始位置において、ストライクＢの固定凸部７０が係止突起２９ａに当って可動カム３０を回転して掛け止め状態を解除するとき、その都度、重量のある引戸Ｄを引いて移動させる時の大きな外力が繰り返しガイドピン４５・４６に加わっても、金属製ゆえにガイドピン４５・４６が折れたりすることがなく、摺動性に富む樹脂製の滑り易い保護キャップ６０を介してガイドピン４５・４６をガイド溝５５・５６に係合させることでガイド溝５５・５６が損傷したり、本体ケース２５にひびや割れを発せさせることを防止することができる。
【符号の説明】
【００３１】
Ａ                装置本体
Ｂ                ストライク
Ｄ                引戸
Ｌ                引戸レール
Ｒ                引戸制動装置
２５              本体ケース
２５ａ・２５ｂ    側板面
３０              可動カム
３５              カム本体
４０              ダンパ
４５・４６        ガイドピン
５０              付勢ばね
５５・５６        ガイド溝
６０              保護キャップ
６０ａ            円筒部
６０ｂ            抜け止め鍔部
【図１】
0005593287.tif 000002
【図２】
0005593287.tif 000003
【図３】
0005593287.tif 000004
【図４】
0005593287.tif 000005
【図５】
0005593287.tif 000006
【図６】
0005593287.tif 000007
【図７】
0005593287.tif 000008
【図８】
0005593287.tif 000009
【図９】
0005593287.tif 000010
【図１０】
0005593287.tif 000011
【図１１】
0005593287.tif 000012
【図１２】
0005593287.tif 000013
【図１３】
0005593287.tif 000014
【図１４】
0005593287.tif 000015